(57)【要約】【課題】  電子のラブの運動エネルギーが光子になるのはどうしてか。電子のラブや陽子のラブはどのようにできたのか。原子の中で、Ａ＝Ｖ／Ωはどのようになっているか。【解決手段】  電子のラブはビッグバンの以前の超高圧超高エネルギーの球体でできた。光子は自分の公転軌道を小さくできる。それで、超高圧超高エネルギーの球体で、軌道を小さくし、超高圧超高エネルギーの状態になっていた。超高圧超高エネルギーの球体の中央で陽子のラブができ、外側で電子のラブができた。電子のラブと陽子のラブは光子の塊です。電子のラブが作る電気の光子は電流です。磁気の光子は電気の光子に垂直に回転しているのでこれは抵抗です。Ｖ＝Ａ×Ω＝電気の光子のエネルギー×磁気の光子のエネルギー＝電気の光子の軌道のエネルギーです。【選択図】図３
2006345690.tif 000002
【特許請求の範囲】
【請求項１】
陽子のラブと電子のラブは、ビッグバンの以前にできたものであり、光子の塊である。
本発明者は、特願２００６−１２４３８２の９番において、磁気の光子１個の質量はいくらか。電気の光子１個の質量はいくらか。電子のラブの質量は電気の光子の質量の何倍か。電子のラブの質量は磁気の光子の何倍か。について記した。
これは、Ｅ＝ｍｃ２によって得られた質量です。光子のエネルギーから、光子の質量を得られるという事は、光子の塊１ｋｇはｃ２Ｊ＝９×１０１６Ｊである事を示す。そして、Ｅ（Ｊ）＝ｍ（Ｋｇ）×ｃ２で表現されるものは光子の塊である事を示す。よって、陽子のラブも電子のラブも光子の塊である。陽子のラブと電子のラブは、ビッグバンの以前にできたものであり、光子の塊である。
電子のラブは、ビッグバン以前の光子の塊であり、陽子のラブは、ビッグバン以前の光子の塊である。
電子のラブ（光子の塊）を光子に解体するためには、ビッグバンの以前の超高圧超高エネルギーが必要である。
陽子のラブ（光子の塊）を光子に解体するためには、ビッグバンの以前の超高圧超高エネルギーが必要である。
ビッグバンの以前の超高圧超高エネルギーは存在しないので、電子のラブと陽子のラブは存在し続ける。
電子のラブは光子の塊であるから、公転により電気の光子ができる。
電子のラブは光子の塊であるから、自転により磁気の光子ができる。
【請求項２】
光子の塊である電子のラブや陽子のラブはどのようにできたか。
電子のラブは、ビッグバンの以前にできたものであり、超高圧、超高エネルギーの球体の中でできた。超高圧、超高エネルギーの球体の中で存在できるのは微粒子である光子です。
この光子が超高圧により圧縮されて、電子のラブになり、陽子のラブになった。陽子のラブができた場の圧力は、電子のラブができた場の圧力より大きい。陽子のラブは、ビッグバンの以前の球体の中央で、電子のラブは球体の外側でできた。それで、電子のラブより陽子のラブに、たくさんの光子が圧縮している。それで、陽子の質量は電子の質量より大きい。ビッグバンの時、電子のラブと陽子のラブは、真空で絶対温度０度の空間に出たので、その容積を大きくした（拡大した）。電子のラブと陽子のラブは、周囲の環境に合わせるため、外側のエネルギーを小さくしたので、外側の光子の軌道は大きくなった（拡大した）。
【請求項３】
Ｅ（Ｊ）＝ｍ（Ｋｇ）×ｃ２について。電子のラブの軌道が、１．２５×１０−１０ｍである場合。
電気の光子の質量×光速２＝８．９×１０−４７Ｋｇ×９×１０１６＝８×１０−３０Ｊ＝電気の光子の１個のエネルギー＝電気の光子が１公転するエネルギー
磁気の光子の質量×光速２＝８．９×１０−５５Ｋｇ×９×１０１６＝８×１０−３８Ｊ＝磁気の光子の１個のエネルギー＝磁気の光子が１自転するエネルギー
電子のラブの質量×光速２＝９．１０９５×１０−３１Ｋｇ×９×１０１６＝８．２×１０−１４Ｊ＝電子のラブのエネルギー＝電子のラブの１秒間のエネルギー
電気の光子の１個のエネルギーは電気の光子が１公転するエネルギーです。
磁気の光子の１個のエネルギーは磁気の光子が１自転するエネルギーです。
光子１Ｋｇのエネルギーは９×１０１６Ｊです。
この事から、電子のラブは光子の塊である事が理解できる。
９．１０９５×１０−３１Ｋｇ÷（８．９×１０−４７Ｋｇ）≒１０１６
９．１０９５×１０−３１Ｋｇ÷（８．９×１０−５５Ｋｇ）≒１０２４
電子のラブは１．２５×１０−１０ｍの軌道の電気の光子が１０１６個集まった光子の塊です。
電子のラブは１．２５×１０−１８ｍの軌道の磁気の光子が１０２４個集まった光子の塊です。
電子のラブ（光子）は１公転し自分の質量の１０１６分の１と同じ質量の電気の光子を作る。
電子のラブ（光子）は１自転し自分の質量の１０２４分の１と同じ質量の磁気の光子を作る。
電子のラブ（光子）は１公転する事によって、自分のエネルギーの１０１６分の１と同じエネルギーの電気の光子を作る。
電子のラブ（光子）は１自転する事によって、自分のエネルギーの１０２４分の１を磁気の光子のエネルギーとする。
陽子のラブも光子の塊である事が理解できる。
陽子の質量は１．６７２６５×１０−２７Ｋｇであるから、陽子は１．６７２６５×１０−２７Ｋｇの光子の塊である。
よって、光子の塊である陽子のエネルギーは、ＥＪ＝ｍＫｇ×ｃ２＝１．６７２６５×１０−２７Ｋｇ×９×１０１６Ｊ＝１．５×１０−１０Ｊです。
【請求項４】
Ｅ＝ｍｃ２について。電子のラブの公転軌道が１０ａｍの場合できる電気の光子の質量とエネルギーについて。
電気の光子の軌道は１０ａｍです。
電気の光子の軌道エネルギーは、１．２５×１０−１０ｍ×８×１０−３８Ｊ＝１０−３９Ｊｍです。
１回転の電気の光子のエネルギーは、１０−３９Ｊｍ÷１０ａｍ＝１０−３９−ａＪです。
１回転の電気の光子を１個の電気の光子とする。
１個の電気の光子のエネルギーは、１０−３９−ａＪです。
１個の電気の光子の質量は、ｍ（Ｋｇ）＝Ｅ（Ｊ）÷ｃ２＝１０−３９−ａＪ÷ｃ２＝１０−３９−ａ÷（３×１０８）２＝１．１×１０−５６−ａＫｇです。
これは、電子のラブの何分の１の質量か。
電子のラブの質量は９．１０９５×１０−３１Ｋｇですから、９．１０９５×１０−３１Ｋｇ÷（１．１×１０−５６−ａＫｇ）＝８．２８×１０２５＋ａ分の１です。
よって、電子のラブ（光子の塊）は、１公転する事によって、自分の質量の８．２８×１０２５＋ａ分の１と同じ質量の電気の光子を作る。
１個の電気の光子のエネルギーは、１０−３９−ａＪです。
これは、電子のラブの何分の１のエネルギーか。
電子のラブのエネルギーは８×１０−１４Ｊですから、８×１０−１４Ｊ÷１０−３９−ａＪ＝８×１０２５＋ａ分の１です。
よって、電子のラブ（光子の塊）は１公転する事によって自分のエネルギーの８×１０２５＋ａ分の１と同じエネルギーの電気の光子を作る。
電子のラブの公転数は、電子のラブの秒速は４×１０６ｍですから、４×１０６ｍ÷（３．１４×１０ａｍ）＝１．２７３×１０６−ａ回転です。
１秒間に電気の光子は１．２７３×１０６−ａできる。
１秒間にできる電気の光子の質量は、１個の電気の光子の質量×１秒間にできる電気の光子の数＝１．１×１０−５６−ａＫｇ×１．２７３×１０６−ａ個＝１．４×１０−５０−２ａＫｇです。
これは、電子のラブの質量の何分の１か。
電子のラブの質量は９．１０９５×１０−３１Ｋｇですから、９．１０９５×１０−３１Ｋｇ÷（１．４×１０−５０−２ａＫｇ）＝６．５×１０１９＋２ａ分の１です。
よって、電子のラブ（光子の塊）は１秒間公転する事によって、自分の質量の６．５×１０１９＋２ａ分の１と同じ質量の電気の光子を作る。
１秒間にできる電気の光子のエネルギーは、１個の電気の光子のエネルギー×１秒間にできる電気の光子の数＝１０−３９−ａＪ×１．２７３×１０６−ａ個＝１．２７３×１０−３３−２ａＪです。
これは、電子のラブのエネルギーの何分の１か。
電子のラブのエネルギーは８×１０−１４Ｊですから、８×１０−１４Ｊ÷（１．２７３×１０−３３−２ａＪ）＝６．３×１０１９＋２ａ分の１です。
よって、電子のラブ（光子の塊）は１秒間公転する事によって、自分のエネルギーの６．３×１０１９＋２ａ分の１と同じエネルギーの電気の光子を作る。
○例えば、電子のラブの公転軌道が１０−１０ｍの場合。
ａ＝−１０ですから、
電気の光子１個の質量は、１．１×１０−５６−ａＫｇ＝１．１×１０−５６−（−１０）Ｋｇ＝１．１×１０−４６Ｋｇです。
これは、電子のラブの質量の、９．１０９５×１０−３１Ｋｇ÷（１．１×１０−４６Ｋｇ）＝８．２８×１０１５分の１です。
よって、電子のラブ（光子の塊）は１公転し、自分の質量の８．２８×１０１５分の１と同じ質量の電気の光子を作る。
電気の光子１個のエネルギーは、１０−３９−ａＪ＝１０−３９−（−１０）Ｊ＝１０−２９Ｊです。
これは、電子のラブのエネルギーの、８×１０−１４Ｊ÷１０−２９Ｊ＝８×１０１５分の１です。
よって、電子のラブ（光子の塊）は１公転し、自分のエネルギーの８×１０１５分の１と同じエネルギーの電気の光子を作る。
１秒間に電気の光子は、１．２７３×１０６−ａ個＝１．２７３×１０６−（−１０）個＝１．２７３×１０１６個できる。
１秒間にできる電気の光子の質量は、１．４×１０−５０−２ａＫｇ＝１．４×１０−５０−２（−１０）Ｋｇ＝１．４×１０−３０Ｋｇです。
これは、電子のラブの質量の、９．１０９５×１０−３１Ｋｇ÷（１．４×１０−３０Ｋｇ）＝０．６５分の１です。
これは、電子のラブの質量の、１．４×１０−３０Ｋｇ÷（９．１０９５×１０−３１Ｋｇ）＝１．５３７倍です。
よって、電子のラブ（光子の塊）は１秒間公転して、自分の質量の１．５倍と同じ質量の電気の光子を作る。
１秒間にできる電気の光子のエネルギーは、１．２７３×１０−３３−２ａＪ＝１．２７３×１０−３３−２（−１０）Ｊ＝１．２７３×１０−１３Ｊです。
これは、電子のラブのエネルギーの、１．２７３×１０−１３Ｊ÷（８×１０−１４Ｊ）＝１．５９倍です。
よって、電子のラブ（光子の塊）は１秒間公転して、自分のエネルギーの１．５９倍と同じエネルギーの電気の光子を作る。
○例えば、電子のラブの公転軌道が１０−１４ｍの場合。
ａ＝−１４ですから、
電気の光子１個の質量は、１．１×１０−５６−ａＫｇ＝１．１×１０−５６−（−１４）Ｋｇ＝１．１×１０−４２Ｋｇです。
これは、電子のラブの質量の、９．１０９５×１０−３１Ｋｇ÷（１．１×１０−４２Ｋｇ）＝８．２８×１０１１分の１です。
よって、電子のラブ（光子の塊）は１公転し、自分の質量の８．２８×１０１１分の１と同じ質量の電気の光子を作る。
電気の光子１個のエネルギーは、１０−３９−ａＪ＝１０−３９−（−１４）Ｊ＝１０−２５Ｊです。
これは、電子のラブのエネルギーの、８×１０−１４Ｊ÷１０−２５Ｊ＝８×１０１１分の１です。
よって、電子のラブ（光子の塊）は１公転し、自分のエネルギーの８×１０１１分の１と同じエネルギーの電気の光子を作る。
１秒間に電気の光子は、１．２７３×１０６−ａ個＝１．２７３×１０６−（−１４）個＝１．２７３×１０２０個できる。
１秒間にできる電気の光子の質量は、１．４×１０−５０−２ａＫｇ＝１．４×１０−５０−２（−１４）Ｋｇ＝１．４×１０−２２Ｋｇです。
これは、電子のラブの質量の、１．４×１０−２２Ｋｇ÷（９．１０９５×１０−３１Ｋｇ）＝１．５３７×１０８倍です。
よって、電子のラブ（光子の塊）は１秒間公転して、自分の質量の１．５３７×１０８倍と同じ質量の電気の光子を作る。
１秒間にできる電気の光子のエネルギーは、１．２７３×１０−３３−２ａＪ＝１．２７３×１０−３３−２（−１４）Ｊ＝１．２７３×１０−５Ｊです。
これは、電子のラブのエネルギーの、１．２７３×１０−５Ｊ÷（８×１０−１４Ｊ）＝１．５９×１０８倍です。
よって、電子のラブ（光子の塊）は１秒間公転して、自分のエネルギーの１．５９×１０８倍と同じエネルギーの電気の光子を作る。
これらの事によって、電子のラブの軌道が１．２５×１０−１０ｍより小さい場では、１秒間に、電子のラブ（光子の塊）の質量以上の質量が電気の光子の質量に成る事がわかる。
これらの事によって、電子のラブの軌道が１．２５×１０−１０ｍより小さい場では、１秒間に、電子のラブ（光子の塊）のエネルギー以上のエネルギーが電気の光子のエネルギーに成る事がわかる。
【請求項５】
Ｅ＝ｍｃ２について。電子のラブの公転軌道が１０ａｍの場合できる磁気の光子の質量とエネルギーについて。
磁気の光子の軌道は１０ａ−８ｍです。
磁気の光子の軌道エネルギーは、１．２５×１０−１８ｍ×８×１０−３８Ｊ＝１０−５５Ｊｍです。
１回転の磁気の光子のエネルギーは、１０−５５Ｊｍ÷１０ａ−８ｍ＝１０−４７−ａＪです。
１回転の磁気の光子を１個の磁気の光子とする。
１個の磁気の光子のエネルギーは、１０−４７−ａＪです。
１個の磁気の光子の質量は、ｍＫｇ＝ＥＪ÷ｃ２＝１０−４７−ａＪ÷ｃ２＝１０−４７−ａ÷（３×１０８）２＝１．１×１０−６４−ａＫｇです。
これは、電子のラブの何分の１の質量か。
電子のラブの質量は９．１０９５×１０−３１Ｋｇですから、９．１０９５×１０−３１Ｋｇ÷（１．１×１０−６４−ａＫｇ）＝８．２８×１０３３＋ａ分の１です。
よって、電子のラブ（光子の塊）は、１自転する事によって、自分の質量の８．２８×１０３３＋ａ分の１と同じ質量の磁気の光子を作る。
磁気の光子１個のエネルギーは、１０−４７−ａＪです。
これは、電子のラブの何分の１のエネルギーか。
電子のラブのエネルギーは８×１０−１４Ｊですから、８×１０−１４Ｊ÷１０−４７−ａＪ＝８×１０３３＋ａ分の１です。
よって、電子のラブ（光子の塊）は１自転する事によって自分のエネルギーの８×１０３３＋ａ分の１と同じエネルギーの磁気の光子のを作る。
電子のラブの公転数は、電子のラブの秒速は４×１０６ｍですから、４×１０６ｍ÷（３．１４×１０ａｍ）＝１．２７３×１０６−ａ回転です。
電子のラブは１公転の間に、１０８回自転しますから、１秒間の自転数は、１．２７３×１０６−ａ回転×１０８回＝１．２７３×１０１４−ａ回です。
１秒間に磁気の光子は、１．２７３×１０１４−ａ個できる。
１秒間にできる磁気の光子の質量は、１個の磁気の光子の質量×１秒間にできる磁気の光子の数＝１．１×１０−６４−ａＫｇ×１．２７３×１０１４−ａ個＝１．４×１０−５０−２ａＫｇです。
これは、電子のラブの質量の何分の１か。
電子のラブの質量は９．１０９５×１０−３１Ｋｇですから、９．１０９５×１０−３１Ｋｇ÷（１．４×１０−５０−２ａＫｇ）＝６．５×１０１９＋２ａ分の１です。
よって、電子のラブ（光子の塊）は１秒間自転する事によって、自分の質量の６．５×１０１９＋２ａ分の１と同じ質量の磁気の光子を作る。
１秒間にできる磁気の光子のエネルギーは、１個の磁気の光子のエネルギー×１秒間にできる磁気の光子の数＝１０−４７−ａＪ×１．２７３×１０１４−ａ個＝１．２７３×１０−３３−２ａＪです。
これは、電子のラブのエネルギーの何分の１か。
電子のラブのエネルギーは８×１０−１４Ｊですから、８×１０−１４Ｊ÷（１．２７３×１０−３３−２ａＪ）＝６．２８４×１０１９＋２ａ分の１です。
よって、電子のラブ（光子の塊）は１秒間自転する事によって、自分のエネルギーの６．２８４×１０１９＋２ａ分の１と同じエネルギーの磁気の光子を作る。
○例えば、電子のラブの公転軌道が１０−１０ｍの場合。
ａ＝−１０ですから、
磁気の光子１個の質量は、１．１×１０−６４−ａＫｇ＝１．１×１０−６４−（−１０）Ｋｇ＝１．１×１０−５４Ｋｇです。
これは、電子のラブの質量の、９．１０９５×１０−３１Ｋｇ÷（１．１×１０−５４Ｋｇ）＝８．２８×１０２３分の１です。
よって、電子のラブ（光子の塊）は１自転し、自分の質量の８．２８×１０２３分の１と同じ質量の磁気の光子を作る。
磁気の光子１個のエネルギーは、１０−４７−ａＪ＝１０−４７−（−１０）Ｊ＝１０−３７Ｊです。
これは、電子のラブのエネルギーの、８×１０−１４Ｊ÷１０−３７Ｊ＝８×１０２３分の１です。
よって、電子のラブ（光子の塊）は１自転し、自分のエネルギーの８×１０２３分の１と同じエネルギーの磁気の光子を作る。
１秒間に磁気の光子は、１．２７３×１０１４−ａ個＝１．２７３×１０１４−（−１０）個＝１．２７３×１０２４個できる。
１秒間にできる磁気の光子の質量は、１．４×１０−５０−２ａＫｇ＝１．４×１０−５０−２（−１０）Ｋｇ＝１．４×１０−３０Ｋｇです。
これは、電子のラブの質量の何倍か。
１．４×１０−３０Ｋｇ÷（９．１０９５×１０−３１Ｋｇ）＝１．５３７倍です。
よって、電子のラブ（光子の塊）は１秒間自転して、自分の質量の１．５３７倍と同じ質量の磁気の光子を作る。
１秒間にできる磁気の光子のエネルギーは、１．２７３×１０−３３−２ａＪ＝１．２７３×１０−３３−２（−１０）Ｊ＝１．２７３×１０−１３Ｊです。
これは、電子のラブのエネルギーの、１．２７３×１０−１３Ｊ÷（８×１０−１４Ｊ）＝１．５９倍です。
よって、電子のラブ（光子の塊）は１秒間自転して、自分のエネルギーの１．５９倍と同じエネルギーの磁気の光子を作る。
○例えば、電子のラブの公転軌道が１０−１４ｍの場合。
ａ＝−１４ですから、
磁気の光子１個の質量は、１．１×１０−６４−ａＫｇ＝１．１×１０−６４−（−１４）Ｋｇ＝１．１×１０−５０Ｋｇです。
これは、電子のラブの質量の、９．１０９５×１０−３１Ｋｇ÷（１．１×１０−５０Ｋｇ）＝８．２８×１０１９分の１です。
よって、電子のラブ（光子の塊）は１自転し、自分の質量の８．２８×１０１９分の１と同じ質量の磁気の光子を作る。
磁気の光子１個のエネルギーは、１０−４７−ａＪ＝１０−４７−（−１４）Ｊ＝１０−３３Ｊです。
これは、電子のラブのエネルギーの、８×１０−１４Ｊ÷１０−３３Ｊ＝８×１０１９分の１です。
よって、電子のラブ（光子の塊）は１自転し、自分のエネルギーの８×１０１９分の１と同じエネルギーの磁気の光子を作る。
１秒間に磁気の光子は、１．２７３×１０１４−ａ個＝１．２７３×１０１４−（−１４）個＝１．２７３×１０２８個できる。
１秒間にできる磁気の光子の質量は、１．４×１０−５０−２ａＫｇ＝１．４×１０−５０−２（−１４）Ｋｇ＝１．４×１０−２２Ｋｇです。
これは、電子のラブの質量の、１．４×１０−２２Ｋｇ÷（９．１０９５×１０−３１Ｋｇ）＝１．５３７×１０８倍です。
よって、電子のラブ（光子の塊）は１秒間自転して、自分の質量の１．５３７×１０８倍の質量の磁気の光子を作る。
１秒間にできる磁気の光子のエネルギーは、１．２７３×１０−３３−２ａＪ＝１．２７３×１０−３３−２（−１４）Ｊ＝１．２７３×１０−５Ｊです。
これは、電子のラブのエネルギーの、１．２７３×１０−５Ｊ÷（８×１０−１４Ｊ）＝１．５９×１０８倍です。
よって、電子のラブ（光子の塊）は１秒間自転して、自分のエネルギーの１．５９×１０８倍と同じエネルギーの磁気の光子を作る。
これらの事によって、電子のラブの軌道が１．２５×１０−１０ｍより小さい場では、１秒間に、電子のラブの質量以上の質量が磁気の光子の質量に成る事がわかる。
これらの事によって、電子のラブの軌道が１．２５×１０−１０ｍより小さい場では、１秒間に、電子のラブのエネルギー以上のエネルギーが磁気の光子のエネルギーに成る事がわかる。
【請求項６】
電子のラブ（光子の塊）や陽子のラブ（光子の塊）を光子に解体するためには、ビッグバンの以前の高エネルギーが必要である。水素爆弾のとき、電子のラブや陽子のラブは解体せず残る。
電子のラブは、ビッグバンの以前の高圧高エネルギーの場でできたものであり、できた場と同じエネルギーの場でなければ解体できない。
水素爆弾によってできる光子のエネルギーは、電子のラブの周囲を回転している磁気の光子と電気の光子です。電子のラブや陽子のラブは解体できない。
水素爆弾のとき放出する光子のエネルギーは、電子のラブの軌道が１０−ａｍの場合、１秒間にできる電気の光子のエネルギーは、１．２７３×１０−３３−２ａＪです。磁気の光子のエネルギーも、１．２７３×１０−３３−２ａＪです。
これは、電子のラブのエネルギーの約６．３×１０−１９＋２ａ分の１です。
電子のラブの軌道が、１．２５×１０−１０ｍの時、１秒間に、電子のラブのエネルギーと同じエネルギーの電気の光子ができる。
電子のラブの軌道が、１．２５×１０−１０ｍの時、１秒間に、電子のラブのエネルギーと同じエネルギーの磁気の光子ができる。
水素爆弾のとき放出する光子のエネルギーは、電子のラブの軌道が１．２５×１０−１０ｍの場合、電子のラブの２倍のエネルギーが光子として放出する。しかし、電子のラブはそのまま解体せず残る。
陽子のラブの周囲の光子は放出するが、陽子のラブはそのまま解体せず残る。
【請求項７】
電子のラブが光子の塊であるから、自転によって磁気の光子ができ、公転によって電気の光子ができる。
電子のラブ（光子の塊）の自転によって磁気の光子ができ、電子のラブ（光子の塊）の公転によって電気の光子ができる。共に、電子のラブである光子の塊によって、できるので、磁気の光子と電気の光子には共通点がある。
共通点は、できるエネルギーは、電子のラブが走る距離に比例する。
電子のラブは１ｍ走って、どれ位の光子のエネルギーを作るか。
電子のラブは、３．１４×１０−１０ｍ走って、８×１０−３０Ｊの電気の光子を作る。
電子のラブは、３．１４×１０−１８ｍ走って、８×１０−３８Ｊの電気の光子を作る。
１ｍ走って、ｘＪのエネルギーを作るとする。
３．１４×１０−１０ｍ：８×１０−３０Ｊ＝３．１４×１０−１８ｍ：８×１０−３８Ｊ＝ｘ：１      ｘ＝２．０３８×１０−２０Ｊ
電子のラブ（光子の塊）は、１ｍ走って、２．０３８×１０−２０Ｊの光子を作る。
相違点は、回転方向の違いと軌道の違いです。磁気の光子の回転方向は電気の光子の回転方向に垂直です。電気の光子の軌道は磁気の光子の軌道の１０８倍です。
【請求項８】
電子のラブの電流と抵抗と電圧について。原子の中では、Ａ＝Ｖ／Ωは何を意味するか。
電流は電気の光子が走る事です。電気の光子が走る垂直方向に磁気の光子が走ります。それで、磁気の光子は電気の光子が走る邪魔になり、抵抗になります。よって、磁気の光子は抵抗です。Ａ×Ω＝Ｖですから、電気の光子のエネルギー×磁気の光子のエネルギー＝Ｖです。
これには２つの計算ができる。
１つは、電気の光子が１回転する場合の、ＡとΩとＶです。
１つは、１秒間にできるＡとΩとＶです。
▲１▼電気の光子１個のエネルギー×磁気の光子１０８個のエネルギー＝Ｖ
これは、電子のラブが１公転した場合です。
電子のラブは１回公転するとき１０８回自転します。それで、電気の光子は１回転、磁気の光子は１０８回転します。
電流は電気の光子が１回転するエネルギーで、抵抗は磁気の光子が１０８回転するエネルギーです。
Ａは１回転の電気の光子のエネルギーを意味します。
Ωは１０８回転の磁気の光子のエネルギーを意味します。
Ｖは電子のラブが公転する軌道における、電気の光子１回転のエネルギー（＝電気の光子１個のエネルギー）×磁気の光子１０８回転のエネルギー（磁気の光子１０８個のエネルギー）です。
▲２▼１秒間の電子の光子のエネルギー×１秒間の磁気の光子のエネルギー＝Ｖ
これは、電子のラブが１秒間回転した場合です。
電流は、１秒間、電気の光子が回転するエネルギーで、抵抗は、１秒間、磁気の光子が回転するエネルギーです。
Ａは１秒間の電気の光子のエネルギーを意味します。
Ωは１秒間の磁気の光子のエネルギーを意味します。
Ｖは電子のラブが公転する軌道における、１秒間の電気の光子のエネルギー×１秒間の磁気の光子のエネルギーです。
▲１▼電気の光子１個のエネルギー×磁気の光子１０８個のエネルギー＝Ｖ  の場合。
１回転の電気の光子の軌道エネルギーは、１．２５×１０−１０ｍ×８×１０−３０Ｊ＝１０−３９Ｊｍです。
１回転の磁気の光子の軌道エネルギーは、１．２５×１０−１８ｍ×８×１０−３８Ｊ＝１０−５５Ｊｍです。
１０８回の磁気の光子の軌道エネルギーは、１０−５５Ｊｍ×１０８回＝１０−４７Ｊｍです。
電子のラブの軌道が、１０ａｍである場合。
１回転の電気の光子の軌道＝１個の電気のエネルギー＝電子のラブの軌道＝１０ａｍ
１回転の電気の光子のエネルギー＝１０−３９Ｊｍ÷１０ａｍ＝１０−３９−ａＪ
１回転の磁気の光子の軌道＝１０ａ−８ｍ
１回転の磁気の光子のエネルギー＝１個の磁気の光子のエネルギー＝１０−５５Ｊｍ÷１０ａ−８ｍ＝１０−５５−ａ＋８Ｊ＝１０−４７−ａＪ
１０８回転の磁気の光子のエネルギー＝１０８個の磁気の光子のエネルギー＝１０−４７−ａＪ×１０８回＝１０−４７−ａ８Ｊ＝１０−３９−ａＪ
よって、
Ａ＝１回転の電気の光子のエネルギー＝１０−３９−ａＪ
Ω＝１０８回の磁気の光子の軌道エネルギー＝１０−３９−ａＪ
Ｖ＝ＡΩ＝（１０−３９−ａＪ）２＝１０−７８−２ａＪ
▲２▼１秒間の電気の光子のエネルギー×１秒間の磁気の光子のエネルギー＝Ｖの場合。
１秒間の電気の光子のエネルギー＝１個の電気の光子のエネルギー×１秒間にできる電気の光子の数＝１０−３９−ａＪ×１．２７３×１０６−ａ個＝１．２７３×１０−３３−２ａＪです。
１秒間の磁気の光子のエネルギー＝１個の磁気の光子のエネルギー×１０８個×１秒間の電子のラブの公転数＝１０−４７−ａＪ×１０８×１．２７３×１０６−ａ回＝１．２７３×１０−３３−２ａＪです。
よって、
Ａ＝１．２７３×１０−３３−２ａＪ
Ω＝１．２７３×１０−３３−２ａＪ
Ｖ＝ＡΩ＝（１．２７３×１０−３３−２ａＪ）２＝１．６２×１０−６６−４ａＪです。
それで、Ｖが大きい場合、ａは小さい。
ａが小さいと、Ｖは大きい。そして、ＡとΩも大きいです。
電子のラブの軌道が小さいと、ＡもΩもＶも大きい。
▲２▼の場合と▲１▼の場合のデーターの比較。
▲２▼のデーターは▲１▼のデーターの何倍か。
ＡとΩは、１．２７３×１０−３３−２ａＪ÷（１０−３９−ａＪ）＝１．２７３×１０６−ａ倍です。
Ｖは、１．６２×１０−６６−４ａＪ÷（１０−７８−２ａＪ）＝１．６２×１０１２−２ａ倍です。
又、電圧は、電子のラブの軌道には関係なく、電気の光子と磁気の光子が回転している軌道の、電気の光子のエネルギー×磁気の光子のエネルギーと考える事ができる。
【請求項９】
原子の中の電流と抵抗と電圧はどのようになっているか。
請求項８に基づいて計算する。
▲１▼電気の光子１個のエネルギー×磁気の光子１０８個のエネルギー＝Ｖ
これは、電子のラブが１回転した場合です。
○例えば、電子のラブの軌道が１０−１０ｍの場合。
Ａ＝１０−３９−ａＪ＝１０−３９−（−１０）Ｊ＝１０−２９Ｊです。
Ω＝１０−２９Ｊです。
Ｖ＝１０−７８−２ａＪ＝１０−７８−２（−１０）Ｊ＝１０−５８Ｊです。
○例えば、電子のラブの軌道が１０−１１ｍの場合。
Ａ＝１０−３９−ａＪ＝１０−３９−（−１１）Ｊ＝１０−２８Ｊです。
Ω＝１０−２８Ｊです。
Ｖ＝１０−７８−２ａＪ＝１０−７８−２（−１１）Ｊ＝１０−５６Ｊです
○例えば、電子のラブの軌道が１０−１４ｍの場合。
Ａ＝１０−３９−ａＪ＝１０−３９−（−１４）Ｊ＝１０−２５Ｊです。
Ω＝１０−２５Ｊです。
Ｖ＝１０−７８−２ａＪ＝１０−７８−２（−１４）Ｊ＝１０−５０Ｊです。
▲２▼１秒間の電子の光子のエネルギー×１秒間の磁気の光子のエネルギー＝Ｖ
これは、電子のラブが１秒間回転した場合です。
○例えば、電子のラブの軌道が１０−１０ｍの場合。
Ａ＝１．２７３×１０−３３−２ａＪ＝１．２７３×１０−３３−２（−１０）Ｊ＝１．２７３×１０−１３Ｊです。
Ω＝１．２７３×１０−１３Ｊです。
Ｖ＝（１．２７３×１０−１３Ｊ）２＝１．６２×１０−２６Ｊです。
○例えば、電子のラブの軌道が１０−１１ｍの場合。
Ａ＝１．２７３×１０−３３−２ａＪ＝１．２７３×１０−３３−２（−１１）Ｊ＝１．２７３×１０−１１Ｊです。
Ω＝１．２７３×１０−１１Ｊです。
Ｖ＝（１．２７３×１０−１１Ｊ）２＝１．６２×１０−２２Ｊです
○例えば、電子のラブの軌道が１０−１４ｍの場合。
Ａ＝１．２７３×１０−３３−２ａＪ＝１．２７３×１０−３３−２（−１４）Ｊ＝１．２７３×１０−５Ｊです。
Ω＝１．２７３×１０−５Ｊです。
Ｖ＝（１．２７３×１０−５Ｊ）２＝１．６２×１０−１０Ｊです。
電子の中で、軌道が１／１０の場合、電圧は１００倍になる。
軌道が１／Ｂの場合、電圧はＢ２倍になる。
【請求項１０】
原子はどのようになっているか。
本発明者は、
電子のラブは、１秒間に４×１０６ｍ走り、８×１０−１４Ｊのエネルギーを作るから、１ｍ走る時は、８×１０−１４Ｊ÷（４×１０６ｍ）＝２×１０−２０Ｊのエネルギーを作る。
それで、電子のラブが１公転するエネルギーは、軌道×３．１４×２×１０−２０Ｊであると考えていた。
この考えでは、電子のラブの軌道が１０−１０ｍでは、電子のラブが１公転するエネルギーは、１０−１０ｍ×３．１４×２×１０−２０Ｊ＝６．２８×１０−３０Ｊです。
しかし、電子のラブが１公転し、できる電気の光子のエネルギーは１０−２９Ｊであり、電子のラブが１公転するエネルギーより大きい。
これは、変です。
原子核には、高エネルギーの陽子と中性子が存在します。
原子核に近いほど高エネルギーの場です。
軌道が小さい場程、高エネルギーの場です。
電子がＫ殻の電子、Ｌ殻の電子、Ｍ殻の電子、Ｎ殻の電子に分かれるのは、電子のラブのエネルギーによります。
電子のラブのエネルギーが高いほど、軌道は小さくなります。
それで、電子のラブのエネルギーが高いほど、公転軌道は小さく、原子核に近い軌道を回転します。
Ｋ殻の電子のラブの公転軌道＜Ｌ殻の電子のラブの公転軌道＜Ｍ殻の電子のラブの公転軌道＜Ｎ殻の電子のラブの公転軌道＝
Ｋ殻の電子のラブのエネルギー＞Ｌ殻の電子のラブのエネルギー＞Ｍ殻の電子のラブのエネルギー＞Ｎ殻の電子のラブのエネルギー
であるから、
Ｋ殻の電子のラブが作る光子のエネルギー＞Ｌ殻の電子のラブが作る光子のエネルギー＞Ｍ殻の電子のラブが作る光子のエネルギー＞Ｎ殻の電子のラブが作る光子のエネルギー＝Ｋ殻の電子のラブが作る光子の軌道＜Ｋ殻の電子のラブが作る光子の軌道＜Ｋ殻の電子のラブが作る光子の軌道＜Ｋ殻の電子のラブが作る光子の軌道＝Ｋ殻の電子のラブが作る光子の波長＜Ｌ殻の電子のラブが作る光子の波長＜Ｍ殻の電子のラブが作る光子の波長＜Ｎ殻の電子のラブが作る光子の波長＝Ｋ殻の電子のラブが作る光子の波長＜Ｋ系特性Ｘ線の波長＜Ｌ系特性Ｘ線の波長＜Ｍ系特性Ｘ線の波長
Ｋ殻の電子＝電子のラブ＋光子、
Ｌ殻の電子＝電子のラブ＋光子＋Ｋ系特性Ｘ線、
Ｍ殻の電子＝電子のラブ＋光子＋Ｌ系特性Ｘ線、
Ｎ殻の電子＝電子のラブ＋光子＋Ｍ系特性Ｘ線、
外側の殻を公転している電子のラブほど、エネルギーは小さく軌道は大きい。
外側の殻を公転している電子のラブほど公転軌道は大きいので、軌道の大きな光子ができる。軌道の大きい電気の光子と磁気の光子ができる。軌道の大きい特性Ｘ線ができる。
【請求項１１】
どうして、外側の殻の電子が内側の殻に移動する時、光子が飛び出るのか。そして、すぐもとの殻にもどるのか。
原子の中央になるほど、電子のラブの公転軌道は小さくなり、電子のラブの公転軌道のＡとΩは大きくなり、電圧も大きくなる。
内側の殻の電圧は、軌道が１／Ｂの場合、電圧はＢ２倍になるので、内側の殻の電圧が高い。
外側の殻の電子が内側の殻に移動するとき、内側の殻の電圧が高いので、電子のラブの外側を回転している光子は弾き飛ばされる。
外側の殻の電子が内側の殻に移動するとき、電子のラブの軌道は変わらず、外側の電子のラブの軌道のままなので、電子のラブはすく自分のエネルギーの殻にもどる。
電子のラブのエネルギーは移動しても変わらない。電子のラブ自身が高エネルギーにならないと高エネルギーの殻には存在できない。
【請求項１２】
ニュートリノはどうして石や金属や鉄を通り抜けられるのか。ニュートリノとは何か。
ニュートリノは、中性子ができる時、抜け出た電子のラブの軌道を回転する電気の光子と磁気の光子です。
太陽の中で、電子のラブの軌道が小さくなり、陽子のラブの軌道に近づくと、引力によって、電子のラブは陽子のラブに引き寄せられ連結します。この連結した電子のラブと陽子のラブが中性子です。この電子のラブと陽子のラブが連結し、中性子になる事が核融合反応です。そのとき、電子のラブの軌道から電子のラブは飛び出るので、電気の光子の軌道と磁気の光子の軌道だけになります。
電子のラブが抜け出た、抜け殻である電気の光子の軌道と磁気の光子の軌道です。
これが、ニュートリノです。
電子のラブの抜け殻である、電気の光子の軌道と磁気の光子の軌道がニュートリノです。
ニュートリノの軌道は、中性子ができた軌道です。
ニュートリノの電気の光子のエネルギーは電流です。
ニュートリノの磁気の光子のエネルギーは抵抗です。
ニュートリノの電圧は、ニュートリノの電気の光子のエネルギー×ニュートリノの磁気の光子のエネルギーです。
ニュートリノが石や金属や鉄を通り抜けられるのは、ニュートリノの軌道が小さいためです。
抜け出た電子のラブの軌道を１０ａｍとすると、ａが小さいため、ＡとΩは大きく、Ｖも大きいためです。
太陽の中で、抜け出た電子のラブの軌道を１０−１４ｍとします。ａ＝−１４です。
それで、
ニュートリノのＡ＝Ω＝１０−３９−（−１４）Ｊ＝１０−２５Ｊです。
ニュートリノのＶ＝ＡΩ＝１０−７８−２（−１４）Ｊ＝１０−７８＋２８Ｊ＝１０−５０Ｊです。
地球の電気の光子の軌道は、ａ＝−１０です。
それで、
地球の光子のＡ＝Ω＝１０−３９−（−１０）Ｊ＝１０−２９Ｊです。
地球の光子のＶ＝ＡΩ＝１０−７８−２（−１０）Ｊ＝１０−７８＋２０Ｊ＝１０−５８Ｊです。
よって、
ニュートリノのＡ＝Ωは、地球の光子のＡ＝Ωの、１０−２５Ｊ÷１０−２９Ｊ＝１０４倍です。
ニュートリノのＶは、地球の光子のＶの、１０−５０Ｊ÷１０−５８Ｊ＝１０８倍です。
ニュートリノは、太陽の中心核のＶで、１０−５０Ｊです。地上の光子のＶは、１０−５８Ｊです。
ニュートリノは、１０８倍の電圧を持つ光子であるゆえ、石や金属や鉄を通過できる。
又、ニュートリノの軌道が小さいので通過できる。
又、ニュートリノのＡとΩが大きいので通過できる。
【発明の詳細な説明】
【技術分野】
【０００１】この発明は、電子とは何か、陽子とは何かに関する。原子の中の電流と抵抗と電圧に関する。原子の中はどのようになっているのかに関する。ニュートリノに関する。
【背景技術】
【０００２】本発明者は、電子の自転により磁気の光子ができ、電子の公転により電気の光子ができる。
と考え、特願２００６−１２４３８２の９番において、Ｅ＝ｍｃ２より、光子の質量を算出した。
Ａ＝Ｖ÷Ωは、原子の中においても適応される事は知られていない。ニュートリノはどのようにでき、どのようなものであるかは知られていない。
【発明の開示】
電子のラブの運動によって光子ができる。この事は、電子のラブはビッグバンの以前にできた超高密度の光子であると考える。
超高密度の光子である電子のラブはどのようにできたのか。
電子のラブは、ビッグバンの以前にできたものであり、超高圧、超高エネルギーの場でできた。超高圧、超高エネルギーの場で存在できるのは微粒子である光子です。この光子が超高圧により圧縮されて、電子のラブになり、陽子のラブになった。陽子のラブができた場の圧力は、電子のラブができた場の圧力より大きい。陽子のラブは、ビッグバンの以前の球体の中央で、電子のラブは球体の外側でできた。それで、電子のラブより陽子のラブに、たくさんの光子が圧縮している。それで、陽子の質量は電子の質量より大きい。ビッグバンの時、電子のラブと陽子のラブは、真空で、絶対温度０度の空間に出たので、その容積を大きくした。
原子の中で、電気の光子が走っている。これは電流です。それで、原子の中にも、Ａ＝Ｖ÷Ωの式が存在するはずであると考える。
本発明者は、ニュートリノは、中間子ができた時、電子のラブは陽子のラブと結合し、電子のラブの軌道であった、電気の光子の軌道を抜け出るので、抜け殻になった電気の光子の軌道であると考える。その電流と電圧を考える。
【発明が解決しようとする課題】
【０００３】１．  陽子のラブと電子のラブは、ビッグバンの以前にできたものであり、光子の塊である。
２．  光子の塊である電子のラブや陽子のラブはどのようにできたか。
３．  Ｅ（Ｊ）＝ｍ（Ｋｇ）×ｃ２について。電子のラブの軌道が、１．２５×１０−１０ｍである場合。
４．  Ｅ＝ｍｃ２について。電子のラブの公転軌道が１０ａｍの場合できる電気の光子の質量とエネルギーについて。
５．  Ｅ＝ｍｃ２について。電子のラブの公転軌道が１０ａｍの場合できる磁気の光子の質量とエネルギーについて。
６．  電子のラブ（光子の塊）や陽子のラブ（光子の塊）を光子に解体するためには、ビッグバンの以前の高エネルギーが必要である。水素爆弾のとき、電子のラブや陽子のラブは解体せず残る。それで、ビッグバンのとき存在した電子のラブと陽子のラブは解体されることは無く永久に存在する
７．  電子のラブが光子の塊であるから、自転によって磁気の光子ができ、公転によって電気の光子ができる。
８．  電子のラブの電流と抵抗と電圧について。原子の中では、Ａ＝Ｖ／Ωは何を意味するか。
９．  電子の中の電流と抵抗と電圧はどのようになっているか。
１０．  原子はどのようになっているか。
１１．  どうして、外側の殻の電子が内側の殻に移動する時、光子が飛び出るのか。そして、すぐもとの殻にもどるのか。
１２．  ニュートリノはどうして石や金属や鉄を通り抜けられるのか。ニュートリノとは何か。
【発明を解決するための手段】
【０００４】電子のラブの自転と公転により、磁気の光子と電気の光子ができる。この事は、電子のラブは、光子の塊であるから、同じ種類のエネルギーができる、と考える。電子のラブ（光子の塊）の自転と公転の運動エネルギーが、磁気の光子のエネルギーと電気の光子のエネルギーに成る。
原子の中で、電流は電気の光子が走ることです。抵抗は電気の光子の走る方向に垂直に磁気の光子が走ることです。電圧は電気の光子のエネルギー×磁気の光子のエネルギーであり、電気の光子が走る軌道のエネルギーです。
【発明の実施態様】
【０００５】１．  陽子のラブと電子のラブは、ビッグバンの以前にできたものであり、光子の塊である。
本発明者は、特願２００６−１２４３８２の９番において、磁気の光子１個の質量はいくらか。電気の光子１個の質量はいくらか。電子のラブの質量は電気の光子の質量の何倍か。電子のラブの質量は磁気の光子の何倍か。について記した。
これは、Ｅ＝ｍｃ２によって得られた質量です。光子のエネルギーから、光子の質量を得られるという事は、光子の塊１ｋｇはｃ２Ｊ＝９×１０１６Ｊである事を示す。そして、Ｅ（Ｊ）＝ｍ（Ｋｇ）×ｃ２で表現されるものは光子の塊である事を示す。よって、陽子のラブも電子のラブも光子の塊である。陽子のラブと電子のラブは、ビッグバンの以前にできたものであり、光子の塊である。
電子のラブは、ビッグバン以前の光子の塊であり、陽子のラブは、ビッグバン以前の光子の塊である。
電子のラブ（光子の塊）を光子に解体するためには、ビッグバンの以前の超高圧超高エネルギーが必要である。
陽子のラブ（光子の塊）を光子に解体するためには、ビッグバンの以前の超高圧超高エネルギーが必要である。
ビッグバンの以前の超高圧超高エネルギーは存在しないので、電子のラブと陽子のラブは存在し続ける。
電子のラブは光子の塊であるから、公転により電気の光子ができる。
電子のラブは光子の塊であるから、自転により磁気の光子ができる。
２．  光子の塊である電子のラブや陽子のラブはどのようにできたが。図１
電子のラブは、ビッグバンの以前にできたものであり、超高圧、超高エネルギーの球体の中でできた。超高圧、超高エネルギーの球体の中で存在できるのは微粒子である光子です。
この光子が超高圧により圧縮されて、電子のラブになり、陽子のラブになった。陽子のラブができた場の圧力は、電子のラブができた場の圧力より大きい。陽子のラブは、ビッグバンの以前の球体の中央で、電子のラブは球体の外側でできた。それで、電子のラブより陽子のラブに、たくさんの光子が圧縮している。それで、陽子の質量は電子の質量より大きい。ビッグバンの時、電子のラブと陽子のラブは、真空で絶対温度０度の空間に出たので、その容積を大きくした（拡大した）。電子のラブと陽子のラブは、周囲の環境に合わせるため、外側のエネルギーを小さくしたので、外側の光子の軌道は大きくなった（拡大した）。
３．  Ｅ（Ｊ）＝ｍ（Ｋｇ）×ｃ２について。電子のラブの軌道が、１．２５×１０−１０ｍである場合。
電気の光子の質量×光速２＝８．９×１０−４７Ｋｇ×９×１０１６＝８×１０−３０Ｊ＝電気の光子の１個のエネルギー＝電気の光子が１公転するエネルギー
磁気の光子の質量×光速２＝８．９×１０−５５Ｋｇ×９×１０１６＝８×１０−３８Ｊ＝磁気の光子の１個のエネルギー＝磁気の光子が１自転するエネルギー
電子のラブの質量×光速２＝９．１０９５×１０−３１Ｋｇ×９×１０１６＝８．２×１０−１４Ｊ＝電子のラブのエネルギー＝電子のラブの１秒間のエネルギー
電気の光子の１個のエネルギーは電気の光子が１公転するエネルギーです。
磁気の光子の１個のエネルギーは磁気の光子が１自転するエネルギーです。
光子１Ｋｇのエネルギーは９×１０１６Ｊです。
この事から、電子のラブは光子の塊である事が理解できる。
９．１０９５×１０−３１Ｋｇ÷（８．９×１０−４７Ｋｇ）４≒１０１６
９．１０９５×１０−３１Ｋｇ÷（８．９×１０−５５Ｋｇ）≒１０２４
電子のラブは１．２５×１０−１０ｍの軌道の電気の光子が１０１６個集まった光子の塊です。
電子のラブは１．２５×１０−１８ｍの軌道の磁気の光子が１０２４個集まった光子の塊です。
電子のラブ（光子）は１公転し自分の質量の１０１６分の１と同じ質量の電気の光子を作る。
電子のラブ（光子）は１自転し自分の質量の１０２４分の１と同じ質量の磁気の光子を作る。
電子のラブ（光子）は１公転する事によって、自分のエネルギーの１０１６分の１と同じエネルギーの電気の光子を作る。
電子のラブ（光子）は１自転する事によって、自分のエネルギーの１０２４分の１を磁気の光子のエネルギーとする。
陽子のラブも光子の塊である事が理解できる。
陽子の質量は１．６７２６５×１０−２７Ｋｇであるから、陽子は１．６７２６５×１０−２７Ｋｇの光子の塊である。
よって、光子の塊である陽子のエネルギーは、ＥＪ＝ｍＫｇ×ｃ２＝１．６７２６５×１０−２７Ｋｇ×９×１０１６Ｊ＝１．５×１０−１０Ｊです。
４．  Ｅ＝ｍｃ２について。電子のラブの公転軌道が１０ａｍの場合できる電気の光子の質量とエネルギーについて。図２
電気の光子の軌道は１０ａｍです。
電気の光子の軌道エネルギーは、１．２５×１０−１０ｍ×８×１０−３８Ｊ＝１０−３９Ｊｍです。
１回転の電気の光子のエネルギーは、１０−３９Ｊｍ÷１０ａｍ＝１０−３９−ａＪです。
１回転の電気の光子を１個の電気の光子とする。
１個の電気の光子のエネルギーは、１０−３９−ａＪです。
１個の電気の光子の質量は、ｍ（Ｋｇ）＝Ｅ（Ｊ）÷ｃ２＝１０−３９−ａＪ÷ｃ２＝１０−３９−ａ÷（３×１０８）２＝１．１×１０−５６−ａＫｇです。
これは、電子のラブの何分の１の質量か。
電子のラブの質量は９．１０９５×１０−３１Ｋｇですから、９．１０９５×１０−３１Ｋｇ÷（１．１×１０−５６−ａＫｇ）＝８．２８×１０２５＋ａ分の１です。
よって、電子のラブ（光子の塊）は、１公転する事によって、自分の質量の８．２８×１０２５＋ａ分の１と同じ質量の電気の光子を作る。
１個の電気の光子のエネルギーは、１０−３９−ａＪです。
これは、電子のラブの何分の１のエネルギーか。
電子のラブのエネルギーは８×１０−１４Ｊですから、８×１０−１４Ｊ÷１０−３９−ａＪ＝８×１０２５＋ａ分の１です。
よって、電子のラブ（光子の塊）は１公転する事によって自分のエネルギーの８×１０２５＋ａ分の１と同じエネルギーの電気の光子を作る。
電子のラブの公転数は、電子のラブの秒速は４×１０６ｍですから、４×１０６ｍ÷（３．１４×１０ａｍ）＝１．２７３×１０６−ａ回転です。
１秒間に電気の光子は１．２７３×１０６−ａ個できる。
１秒間にできる電気の光子の質量は、１個の電気の光子の質量×１秒間にできる電気の光子の数＝１．１×１０−５６−ａＫｇ×１．２７３×１０６−ａ個＝１．４×１０−５０−２ａＫｇです。
これは、電子のラブの質量の何分の１か。
電子のラブの質量は９．１０９５×１０−３１Ｋｇですから、９．１０９５×１０−３１Ｋｇ÷（１．４×１０−５０−２ａＫｇ）＝６．５×１０１９＋２ａ分の１です。
よって、電子のラブ（光子の塊）は１秒間公転する事によって、自分の質量の６．５×１０１９＋２ａ分の１と同じ質量の電気の光子を作る。
１秒間にできる電気の光子のエネルギーは、１個の電気の光子のエネルギー×１秒間にできる電気の光子の数＝１０−３９−ａＪ×１．２７３×１０６−ａ個＝１．２７３×１０−３３−２ａＪです。
これは、電子のラブのエネルギーの何分の１か。
電子のラブのエネルギーは８×１０−１４Ｊですから、８×１０−１４Ｊ÷（１．２７３×１０−３３−２ａＪ）＝６．３×１０１９＋２ａ分の１です。
よって、電子のラブ（光子の塊）は１秒間公転する事によって、自分のエネルギーの６．３×１０１９＋２ａ分の１と同じエネルギーの電気の光子を作る。
○例えば、電子のラブの公転軌道が１０−１０ｍの場合。
ａ＝−１０ですから、
電気の光子１個の質量は、１．１×１０−５６−ａＫｇ＝１．１×１０−５６−（−１０）Ｋｇ＝１．１×１０−４６Ｋｇです。
これは、電子のラブの質量の、９．１０９５×１０−３１Ｋｇ÷（１．１×１０−４６Ｋｇ）＝８．２８×１０１５分の１です。
よって、電子のラブ（光子の塊）は１公転し、自分の質量の８．２８×１０１５分の１と同じ質量の電気の光子を作る。
電気の光子１個のエネルギーは、１０−３９−ａＪ＝１０−３９−（−１０）Ｊ＝１０−２９Ｊです。
これは、電子のラブのエネルギーの、８×１０−１４Ｊ÷１０−２９Ｊ＝８×１０１５分の１です。
よって、電子のラブ（光子の塊）は１公転し、自分のエネルギーの８×１０１５分の１と同じエネルギーの電気の光子を作る。
１秒間に電気の光子は、１．２７３×１０６−ａ個＝１．２７３×１０６−（−１０）個＝１．２７３×１０１６個できる。
１秒間にできる電気の光子の質量は、１．４×１０−５０−２ａＫｇ＝１．４×１０−５０−２（−１０）Ｋｇ＝１．４×１０−３０Ｋｇです。
これは、電子のラブの質量の、９．１０９５×１０−３１Ｋｇ÷（１．４×１０−３０Ｋｇ）＝０．６５分の１です。
これは、電子のラブの質量の、１．４×１０−３０Ｋｇ÷（９．１０９５×１０−３１Ｋｇ）＝１．５３７倍です。
よって、電子のラブ（光子の塊）は１秒間公転して、自分の質量の１．５倍と同じ質量の電気の光子を作る。
１秒間にできる電気の光子のエネルギーは、１．２７３×１０−３３−２ａＪ＝１．２７３×１０−３３−２（−１０）Ｊ＝１．２７３×１０−１３Ｊです。
これは、電子のラブのエネルギーの、１．２７３×１０−１３Ｊ÷（８×１０−１４Ｊ）＝１．５９倍です。
よって、電子のラブ（光子の塊）は１秒間公転して、自分のエネルギーの１．５９倍と同じエネルギーの電気の光子を作る。
○例えば、電子のラブの公転軌道が１０−１４ｍの場合。
ａ＝−１４ですから、
電気の光子１個の質量は、１．１×１０−５６−ａＫｇ＝１．１×１０−５６−（−１４）Ｋｇ＝１．１×１０−４２Ｋｇです。
これは、電子のラブの質量の、９．１０９５×１０−３１Ｋｇ÷（１．１×１０−４２Ｋｇ）＝８．２８×１０１１分の１です。
よって、電子のラブ（光子の塊）は１公転し、自分の質量の８．２８×１０１１分の１と同じ質量の電気の光子を作る。
電気の光子１個のエネルギーは、１０−３９−ａＪ＝１０−３９−（−１４）Ｊ＝１０−２５Ｊです。
これは、電子のラブのエネルギーの、８×１０−１４Ｊ÷１０−２５Ｊ＝８×１０１１分の１です。
よって、電子のラブ（光子の塊）は１公転し、自分のエネルギーの８×１０１１分の１と同じエネルギーの電気の光子を作る。
１秒間に電気の光子は、１．２７３×１０６−ａ個＝１．２７３×１０６−（−１４）個＝１．２７３×１０２０個できる。
１秒間にできる電気の光子の質量は、１．４×１０−５０−２ａＫｇ＝１．４×１０−５０−２（−１４）Ｋｇ＝１．４×１０−２２Ｋｇです。
これは、電子のラブの質量の、１．４×１０−２２Ｋｇ÷（９．１０９５×１０−３１Ｋｇ）＝１．５３７×１０８倍です。
よって、電子のラブ（光子の塊）は１秒間公転して、自分の質量の１．５３７×１０８倍と同じ質量の電気の光子を作る。
１秒間にできる電気の光子のエネルギーは、１．２７３×１０−３３−２ａＪ＝１．２７３×１０−３３−２（−１４）Ｊ＝１．２７３×１０−５Ｊです。
これは、電子のラブのエネルギーの、１．２７３×１０−５Ｊ÷（８×１０−１４Ｊ）＝１．５９×１０８倍です。
よって、電子のラブ（光子の塊）は１秒間公転して、自分のエネルギーの１．５９×１０８倍と同じエネルギーの電気の光子を作る。
これらの事によって、電子のラブの軌道が１．２５×１０−１０ｍより小さい場では、１秒間に、電子のラブ（光子の塊）の質量以上の質量が電気の光子の質量に成る事がわかる。
これらの事によって、電子のラブの軌道が１．２５×１０−１０ｍより小さい場では、１秒間に、電子のラブ（光子の塊）のエネルギー以上のエネルギーが電気の光子のエネルギーに成る事がわかる。
５．  Ｅ＝ｍｃ２について。電子のラブの公転軌道が１０ａｍの場合できる磁気の光子の質量とエネルギーについて。図２
磁気の光子の軌道は１０ａ−８ｍです。
磁気の光子の軌道エネルギーは、１．２５×１０−１８ｍ×８×１０−３８Ｊ＝１０−５５Ｊｍです。
１回転の磁気の光子のエネルギーは、１０−５５Ｊｍ÷１０ａ−８ｍ＝１０−４７−ａＪです。
１回転の磁気の光子を１個の磁気の光子とする。
１個の磁気の光子のエネルギーは、１０−４７−ａＪです。
１個の磁気の光子の質量は、ｍＫｇ＝ＥＪ÷ｃ２＝１０−４７−ａＪ÷ｃ２＝１０−４７−ａ÷（３×１０８）２＝１．１×１０−６４−ａＫｇです。
これは、電子のラブの何分の１の質量か。
電子のラブの質量は９．１０９５×１０−３１Ｋｇですから、９．１０９５×１０−３１Ｋｇ÷（１．１×１０−６４−ａＫｇ）＝８．２８×１０３３＋ａ分の１です。
よって、電子のラブ（光子の塊）は、１自転する事によって、自分の質量の８．２８×１０３３＋ａ分の１と同じ質量の磁気の光子を作る。
磁気の光子１個のエネルギーは、１０−４７−ａＪです。
これは、電子のラブの何分の１のエネルギーか。
電子のラブのエネルギーは８×１０−１４Ｊですから、８×１０−１４Ｊ÷１０−４７−ａＪ＝８×１０３３＋ａ分の１です。
よって、電子のラブ（光子の塊）は１自転する事によって自分のエネルギーの８×１０３３＋ａ分の１と同じエネルギーの磁気の光子のを作る。
電子のラブの公転数は、電子のラブの秒速は４×１０６ｍですから、４×１０６ｍ÷（３．１４×１０ａｍ）＝１．２７３×１０６−ａ回転です。
電子のラブは１公転の間に、１０８回自転しますから、１秒間の自転数は、１．２７３×１０６−ａ回転×１０８回＝１．２７３×１０１４−ａ回です。
１秒間に磁気の光子は、１．２７３×１０１４−ａ個できる。
１秒間にできる磁気の光子の質量は、１個の磁気の光子の質量×１秒間にできる磁気の光子の数＝１．１×１０−６４−ａＫｇ×１．２７３×１０１４−ａ個＝１．４×１０−５０−２ａＫｇです。
これは、電子のラブの質量の何分の１か。
電子のラブの質量は９．１０９５×１０−３１Ｋｇですから、９．１０９５×１０−３１Ｋｇ÷（１．４×１０−５０−２ａＫｇ）＝６．５×１０１９＋２ａ分の１です。
よって、電子のラブ（光子の塊）は１秒間自転する事によって、自分の質量の６．５×１０１９＋２ａ分の１と同じ質量の磁気の光子を作る。
１秒間にできる磁気の光子のエネルギーは、１個の磁気の光子のエネルギー×１秒間にできる磁気の光子の数＝１０−４７−ａＪ×１．２７３×１０１４−ａ個＝１．２７３×１０−３３−２ａＪです。
これは、電子のラブのエネルギーの何分の１か。
電子のラブのエネルギーは８×１０−１４Ｊですから、８×１０−１４Ｊ÷（１．２７３×１０−３３−２ａＪ）＝６．２８４×１０１９＋２ａ分の１です。
よって、電子のラブ（光子の塊）は１秒間自転する事によって、自分のエネルギーの６．２８４×１０１９＋２ａ分の１と同じエネルギーの磁気の光子を作る。
○例えば、電子のラブの公転軌道が１０−１０ｍの場合。
ａ＝−１０ですから、
磁気の光子１個の質量は、１．１×１０−６４−ａＫｇ＝１．１×１０−６４−（−１０）Ｋｇ＝１．１×１０−５４Ｋｇです。
これは、電子のラブの質量の、９．１０９５×１０−３１Ｋｇ÷（１．１×１０−５４Ｋｇ）＝８．２８×１０２３分の１です。
よって、電子のラブ（光子の塊）は１自転し、自分の質量の８．２８×１０２３分の１と同じ質量の磁気の光子を作る。
磁気の光子１個のエネルギーは、１０−４７−ａＪ＝１０−４７−（−１０）Ｊ＝１０−３７Ｊです。
これは、電子のラブのエネルギーの、８×１０−１４Ｊ÷１０−３７Ｊ＝８×１０２３分の１です。
よって、電子のラブ（光子の塊）は１自転し、自分のエネルギーの８×１０２３分の１と同じエネルギーの磁気の光子を作る。
１秒間に磁気の光子は、１．２７３×１０１４−ａ個＝１．２７３×１０１４−（−１０）個＝１．２７３×１０２４個できる。
１秒間にできる磁気の光子の質量は、１．４×１０−５０−２ａＫｇ＝１．４×１０−５０−２（−１０）Ｋｇ＝１．４×１０−３０Ｋｇです。
これは、電子のラブの質量の何倍か。
１．４×１０−３０Ｋｇ÷（９．１０９５×１０−３１Ｋｇ）＝１．５３７倍です。
よって、電子のラブ（光子の塊）は１秒間自転して、自分の質量の１．５３７倍と同じ質量の磁気の光子を作る。
１秒間にできる磁気の光子のエネルギーは、１．２７３×１０−３３−２ａＪ＝１．２７３×１０−３３−２（−１０）Ｊ＝１．２７３×１０−１３Ｊです。
これは、電子のラブのエネルギーの、１．２７３×１０−１３Ｊ÷（８×１０−１４Ｊ）＝１．５９倍です。
よって、電子のラブ（光子の塊）は１秒間自転して、自分のエネルギーの１．５９倍と同じエネルギーの磁気の光子を作る。
○例えば、電子のラブの公転軌道が１０−１４ｍの場合。
ａ＝−１４ですから、
磁気の光子１個の質量は、１．１×１０−６４−ａＫｇ＝１．１×１０−６４−（−１４）Ｋｇ＝１．１×１０−５０Ｋｇです。
これは、電子のラブの質量の、９．１０９５×１０−３１Ｋｇ÷（１．１×１０−５０Ｋｇ）＝８．２８×１０１９分の１です。
よって、電子のラブ（光子の塊）は１自転し、自分の質量の８．２８×１０１９分の１と同じ質量の磁気の光子を作る。
磁気の光子１個のエネルギーは、１０−４７−ａＪ＝１０−４７−（−１４）Ｊ＝１０−３３Ｊです。
これは、電子のラブのエネルギーの、８×１０−１４Ｊ÷１０−３３Ｊ＝８×１０１９分の１です。
よって、電子のラブ（光子の塊）は１自転し、自分のエネルギーの８×１０１９分の１と同じエネルギーの磁気の光子を作る。
１秒間に磁気の光子は、１．２７３×１０１４−ａ個＝１．２７３×１０１４−（−１４）個＝１．２７３×１０２８個できる。
１秒間にできる磁気の光子の質量は、１．４×１０−５０−２ａＫｇ＝１．４×１０−５０−２（−１４）Ｋｇ＝１．４×１０−２２Ｋｇです。
これは、電子のラブの質量の、１．４×１０−２２Ｋｇ÷（９．１０９５×１０−３１Ｋｇ）＝１．５３７×１０８倍です。
よって、電子のラブ（光子の塊）は１秒間自転して、自分の質量の１．５３７×１０８倍の質量の磁気の光子を作る。
１秒間にできる磁気の光子のエネルギーは、１．２７３×１０−３３−２ａＪ＝１．２７３×１０−３３−２（−１４）Ｊ＝１．２７３×１０−５Ｊです。
これは、電子のラブのエネルギーの、１．２７３×１０−５Ｊ÷（８×１０−１４Ｊ）＝１．５９×１０８倍です。
よって、電子のラブ（光子の塊）は１秒間自転して、自分のエネルギーの１．５９×１０８倍と同じエネルギーの磁気の光子を作る。
これらの事によって、電子のラブの軌道が１．２５×１０−１０ｍより小さい場では、１秒間に、電子のラブの質量以上の質量が磁気の光子の質量に成る事がわかる。
これらの事によって、電子のラブの軌道が１．２５×１０−１０ｍより小さい場では、１秒間に、電子のラブのエネルギー以上のエネルギーが磁気の光子のエネルギーに成る事がわかる。
６．  電子のラブ（光子の塊）や陽子のラブ（光子の塊）を光子に解体するためには、ビッグバンの以前の高エネルギーが必要である。水素爆弾のとき、電子のラブや陽子のラブは解体せず残る。
電子のラブは、ビッグバンの以前の高圧高エネルギーの場でできたものであり、できた場と同じエネルギーの場でなければ解体できない。
水素爆弾によってできる光子のエネルギーは、電子のラブの周囲を回転している磁気の光子と電気の光子です。電子のラブや陽子のラブは解体できない。
水素爆弾のとき放出する光子のエネルギーは、電子のラブの軌道が１０−ａｍの場合、
１秒間にできる電気の光子のエネルギーは、１．２７３×１０−３３−２ａＪです。磁気の光子のエネルギーも、１．２７３×１０−３３−２ａＪです。
これは、電子のラブのエネルギーの約６．３×１０−１９＋２ａ分の１です。
電子のラブの軌道が、１．２５×１０−１０ｍの時、１秒間に、電子のラブのエネルギーと同じエネルギーの電気の光子ができる。
電子のラブの軌道が、１．２５×１０−１０ｍの時、１秒間に、電子のラブのエネルギーと同じエネルギーの磁気の光子ができる。
水素爆弾のとき放出する光子のエネルギーは、電子のラブの軌道が１．２５×１０−１０ｍの場合、
電子のラブの２倍のエネルギーが光子として放出する。しかし、電子のラブはそのまま解体せず残る。
陽子のラブの周囲の光子は放出するが、陽子のラブはそのまま解体せず残る。
７．  電子のラブが光子の塊であるから、自転によって磁気の光子ができ、公転によって電気の光子ができる。
電子のラブ（光子の塊）の自転によって磁気の光子ができ、電子のラブ（光子の塊）の公転によって電気の光子ができる。共に、電子のラブである光子の塊によって、できるので、磁気の光子と電気の光子には共通点がある。
共通点は、できるエネルギーは、電子のラブが走る距離に比例する。
電子のラブは１ｍ走って、どれ位の光子のエネルギーを作るか。
電子のラブは、３．１４×１０−１０ｍ走って、８×１０−３０Ｊの電気の光子を作る。
電子のラブは、３．１４×１０−１８ｍ走って、８×１０−３８Ｊの電気の光子を作る。
１ｍ走って、ｘＪのエネルギーを作るとする。
３．１４×１０−１０ｍ：８×１０−３０Ｊ＝３．１４×１０−１８ｍ：８×１０−３８Ｊ＝ｘ：１      ｘ＝２．０３８×１０−２０Ｊ
電子のラブ（光子の塊）は、１ｍ走って、２．０３８×１０−２０Ｊの光子を作る。
相違点は、回転方向の違いと軌道の違いです。磁気の光子の回転方向は電気の光子の回転方向に垂直です。電気の光子の軌道は磁気の光子の軌道の１０８倍です。
８．  電子のラブの電流と抵抗と電圧について。原子の中では、Ａ＝Ｖ／Ωは何を意味するか。図３
電流は電気の光子が走る事です。電気の光子が走る垂直方向に磁気の光子が走ります。それで、磁気の光子は電気の光子が走る邪魔になり、抵抗になります。よって、磁気の光子は抵抗です。Ａ×Ω＝Ｖですから、電気の光子のエネルギー×磁気の光子のエネルギー＝Ｖです。
これには２つの計算ができる。
１つは、電気の光子が１回転する場合の、ＡとΩとＶです。
１つは、１秒間にできるＡとΩとＶです。
▲１▼電気の光子１個のエネルギー×磁気の光子１０８個のエネルギー＝Ｖ
これは、電子のラブが１公転した場合です。
電子のラブは１回公転するとき１０８回自転します。それで、電気の光子は１回転、磁気の光子は１０８回転します。
電流は電気の光子が１回転するエネルギーで、抵抗は磁気の光子が１０８回転するエネルギーです。
Ａは１回転の電気の光子のエネルギーを意味します。
Ωは１０８回転の磁気の光子のエネルギーを意味します。
Ｖは電子のラブが公転する軌道における、電気の光子１回転のエネルギー（＝電気の光子１個のエネルギー）×磁気の光子１０８回転のエネルギー（磁気の光子１０８個のエネルギー）です。
▲２▼１秒間の電子の光子のエネルギー×１秒間の磁気の光子のエネルギー＝Ｖ
これは、電子のラブが１秒間回転した場合です。
電流は、１秒間、電気の光子が回転するエネルギーで、抵抗は、１秒間、磁気の光子が回転するエネルギーです。
Ａは１秒間の電気の光子のエネルギーを意味します。
Ωは１秒間の磁気の光子のエネルギーを意味します。
Ｖは電子のラブが公転する軌道における、１秒間の電気の光子のエネルギー×１秒間の磁気の光子のエネルギーです。
▲１▼電気の光子１個のエネルギー×磁気の光子１０８個のエネルギー＝Ｖ  の場合。
１回転の電気の光子の軌道エネルギーは、１．２５×１０−１０ｍ×８×１０−３０Ｊ＝１０−３９Ｊｍです。
１回転の磁気の光子の軌道エネルギーは、１．２５×１０−１８ｍ×８×１０−３８Ｊ＝１０−５５Ｊｍです。
１０８回の磁気の光子の軌道エネルギーは、１０−５５Ｊｍ×１０８回＝１０−４７Ｊｍです。
電子のラブの軌道が、１０ａｍである場合。
１回転の電気の光子の軌道＝１個の電気のエネルギー＝電子のラブの軌道＝１０ａｍ
１回転の電気の光子のエネルギー＝１０−３９Ｊｍ÷１０ａｍ＝１０−３９−ａＪ
１回転の磁気の光子の軌道＝１０ａ−８ｍ
１回転の磁気の光子のエネルギー＝１個の磁気の光子のエネルギー＝１０−５５Ｊｍ÷１０ａ−８ｍ＝１０−５５−ａ＋８Ｊ＝１０−４７−ａＪ
１０８回転の磁気の光子のエネルギー＝１０８個の磁気の光子のエネルギー＝１０−４７−ａＪ×１０８回＝１０−４７−ａ＋８Ｊ＝１０−３９−ａＪ
よって、
Ａ＝１回転の電気の光子のエネルギー＝１０−３９−ａＪ
Ω＝１０８回の磁気の光子の軌道エネルギー＝１０−３９−ａＪ
Ｖ＝ＡΩ＝（１０−３９−ａＪ）２＝１０−７８−２ａＪ
▲２▼１秒間の電気の光子のエネルギー×１秒間の磁気の光子のエネルギー＝Ｖの場合。
１秒間の電気の光子のエネルギー＝１個の電気の光子のエネルギー×１秒間にできる電気の光子の数＝１０−３９−ａＪ×１．２７３×１０６−ａ個＝１．２７３×１０−３３−２ａＪです。
１秒間の磁気の光子のエネルギー＝１個の磁気の光子のエネルギー×１０８個×１秒間の電子のラブの公転数＝１０−４７−ａＪ×１０８個×１．２７３×１０６−ａ回＝１．２７３×１０−３３−２ａＪです。
よって、
Ａ＝１．２７３×１０−３３−２ａＪ
Ω＝１．２７３×１０−３３−２ａＪ
Ｖ＝ＡΩ＝（１．２７３×１０−３３−２ａＪ）２＝１．６２×１０−６６−４ａＪです。
それで、Ｖが大きい場合、ａは小さい。
ａが小さいと、Ｖは大きい。そして、ＡとΩも大きいです。
電子のラブの軌道が小さいと、ＡもΩもＶも大きい。
▲２▼の場合と▲１▼の場合のデーターの比較。
▲２▼のデーターは▲１▼のデーターの何倍か。
ＡとΩは、１．２７３×１０−３３−２ａＪ÷（１０−３９−ａＪ）＝１．２７３×１０６−ａ倍です。
Ｖは、１．６２×１０−６６−４ａＪ÷（１０−７８−２ａＪ）＝１．６２×１０１２−２ａ倍です。
又、電圧は、電子のラブの軌道には関係なく、電気の光子と磁気の光子が回転している軌道の、電気の光子のエネルギー×磁気の光子のエネルギーと考える事ができる。
９．  原子の中の電流と抵抗と電圧はどのようになっているか。図４
▲１▼電気の光子１個のエネルギー×磁気の光子１０８個のエネルギー＝Ｖ
これは、電子のラブが１回転した場合です。
○例えば、電子のラブの軌道が１０−１０ｍの場合。
Ａ＝１０−３９−ａＪ＝１０−３９−（−１０）Ｊ＝１０−２９Ｊです。
Ω＝１０−２９Ｊです。
Ｖ＝１０−７８−２ａＪ＝１０−７８−２（−１０）Ｊ＝１０−５８Ｊです。
○例えば、電子のラブの軌道が１０−１１ｍの場合。
Ａ＝１０−３９−ａＪ＝１０−３９−（−１１）Ｊ＝１０−２８Ｊです。
Ω＝１０−２８Ｊです。
Ｖ＝１０−７８−２ａＪ＝１０−７８−２（−１１）Ｊ＝１０−５６Ｊです
○例えば、電子のラブの軌道が１０−１４ｍの場合。
Ａ＝１０−３９−ａＪ＝１０−３９−（−１４）Ｊ＝１０−２５Ｊです。
Ω＝１０−２５Ｊです。
Ｖ＝１０−７８−２ａＪ＝１０−７８−２（−１４）Ｊ＝１０−５０Ｊです。
▲２▼１秒間の電子の光子のエネルギー×１秒間の磁気の光子のエネルギー＝Ｖ
これは、電子のラブが１秒間回転した場合です。
○例えば、電子のラブの軌道が１０−１０ｍの場合。
Ａ＝１．２７３×１０−３３−２ａＪ＝１．２７３×１０−３３−２（−１０）Ｊ＝１．２７３×１０−１３Ｊです。
Ω＝１．２７３×１０−１３Ｊです。
Ｖ＝（１．２７３×１０−１３Ｊ）２＝１．６２×１０−２６Ｊです。
○例えば、電子のラブの軌道が１０−１１ｍの場合。
Ａ＝１．２７３×１０−３３−２ａＪ＝１．２７３×１０−３３−２（−１１）Ｊ＝１．２７３×１０−１１Ｊです。
Ω＝１．２７３×１０−１１Ｊです。
Ｖ＝（１．２７３×１０−１１Ｊ）２＝１．６２×１０−２２Ｊです
○例えば、電子のラブの軌道が１０−１４ｍの場合。
Ａ＝１．２７３×１０−３３−２ａＪ＝１．２７３×１０−３３−２（−１４）Ｊ＝１．２７３×１０−５Ｊです。
Ω＝１．２７３×１０−５Ｊです。
Ｖ＝（１．２７３×１０−５Ｊ）２＝１．６２×１０−１０Ｊです。
電子の中で、軌道が１／１０の場合、電圧は１００倍になる。
軌道が１／Ｂの場合、電圧はＢ２倍になる。
１０．  原子はどのようになっているか。図５
本発明者は、
電子のラブは、１秒間に４×１０６ｍ走り、８×１０−１４Ｊのエネルギーを作るから、１ｍ走る時は、８×１０−１４Ｊ÷（４×１０６ｍ）＝２×１０−２０Ｊのエネルギーを作る。
それで、電子のラブが１公転するエネルギーは、軌道×３．１４×２×１０−２０Ｊであると考えていた。
この考えでは、電子のラブの軌道が１０−１０ｍでは、電子のラブが１公転するエネルギーは、１０−１０ｍ×３．１４×２×１０−２０Ｊ＝６．２８×１０−３０Ｊです。
しかし、電子のラブが１公転し、できる電気の光子のエネルギーは１０−２９Ｊであり、電子のラブが１公転するエネルギーより大きい。
これは、変です。
原子核には、高エネルギーの陽子と中性子が存在します。
原子核に近いほど高エネルギーの場です。
軌道が小さい場程、高エネルギーの場です。
電子がＫ殻の電子、Ｌ殻の電子、Ｍ殻の電子、Ｎ殻の電子に分かれるのは、電子のラブのエネルギーによります。
電子のラブのエネルギーが高いほど、軌道は小さくなります。
それで、電子のラブのエネルギーが高いほど、公転軌道は小さく、原子核に近い軌道を回転します。
Ｋ殻の電子のラブの公転軌道＜Ｌ殻の電子のラブの公転軌道＜Ｍ殻の電子のラブの公転軌道＜Ｎ殻の電子のラブの公転軌道＝
Ｋ殻の電子のラブのエネルギー＞Ｌ殻の電子のラブのエネルギー＞Ｍ殻の電子のラブのエネルギー＞Ｎ殻の電子のラブのエネルギー
であるから、
Ｋ殻の電子のラブが作る光子のエネルギー＞Ｌ殻の電子のラブが作る光子のエネルギー＞Ｍ殻の電子のラブが作る光子のエネルギー＞Ｎ殻の電子のラブが作る光子のエネルギー＝Ｋ殻の電子のラブが作る光子の軌道＜Ｋ殻の電子のラブが作る光子の軌道＜Ｋ殻の電子のラブが作る光子の軌道＜Ｋ殻の電子のラブが作る光子の軌道＝Ｋ殻の電子のラブが作る光子の波長＜Ｌ殻の電子のラブが作る光子の波長＜Ｍ殻の電子のラブが作る光子の波長＜Ｎ殻の電子のラブが作る光子の波長＝Ｋ殻の電子のラブが作る光子の波長＜Ｋ系特性Ｘ線の波長＜Ｌ系特性Ｘ線の波長＜Ｍ系特性Ｘ線の波長
Ｋ殻の電子＝電子のラブ＋光子、
Ｌ殻の電子＝電子のラブ＋光子＋Ｋ系特性Ｘ線、
Ｍ殻の電子＝電子のラブ＋光子＋Ｌ系特性Ｘ線、
Ｎ殻の電子＝電子のラブ＋光子＋Ｍ系特性Ｘ線、
外側の殻を公転している電子のラブほど、エネルギーは小さく軌道は大きい。
外側の殻を公転している電子のラブほど公転軌道は大きいので、軌道の大きな光子ができる。軌道の大きい電気の光子と磁気の光子ができる。軌道の大きい特性Ｘ線ができる。
１１．  どうして、外側の殻の電子が内側の殻に移動する時、光子が飛び出るのか。そして、すぐもとの殻にもどるのか。図６
原子の中央になるほど、電子のラブの公転軌道は小さくなり、電子のラブの公転軌道のＡとΩは大きくなり、電圧も大きくなる。
内側の殻の電圧は、軌道が１／Ｂの場合、電圧はＢ２倍になるので、内側の殻の電圧が高い。
外側の殻の電子が内側の殻に移動するとき、内側の殻の電圧が高いので、電子のラブの外側を回転している光子は弾き飛ばされる。
外側の殻の電子が内側の殻に移動するとき、電子のラブの軌道は変わらず、外側の電子のラブの軌道のままなので、電子のラブはすぐ自分のエネルギーの殻にもどる。
電子のラブのエネルギーは移動しても変わらない。電子のラブ自身が高エネルギーにならないと高エネルギーの殻には存在できない。
１２．  ニュートリノはどうして石や金属や鉄を通り抜けられるのか。ニュートリノとは何か。図７
ニュートリノは、中性子ができる時、抜け出た電子のラブの軌道を回転する電気の光子と磁気の光子です。
太陽の中で、電子のラブの軌道が小さくなり、陽子のラブの軌道に近づくと、引力によって、電子のラブは陽子のラブに引き寄せられ連結します。この連結した電子のラブと陽子のラブが中性子です。この電子のラブと陽子のラブが連結し、中性子になる事が核融合反応です。そのとき、電子のラブの軌道から電子のラブは飛び出るので、電気の光子の軌道と磁気の光子の軌道だけになります。
電子のラブが抜け出た、抜け殻である電気の光子の軌道と磁気の光子の軌道です。
これが、ニュートリノです。
電子のラブの抜け殻である、電気の光子の軌道と磁気の光子の軌道がニュートリノです。
ニュートリノの軌道は、中性子ができた軌道です。
ニュートリノの電気の光子のエネルギーは電流です。
ニュートリノの磁気の光子のエネルギーは抵抗です。
ニュートリノの電圧は、ニュートリノの電気の光子のエネルギー×ニュートリノの磁気の光子のエネルギーです。
ニュートリノが石や金属や鉄を通り抜けられるのは、ニュートリノの軌道が小さいためです。
抜け出た電子のラブの軌道を１０ａｍとすると、ａが小さいため、ＡとΩは大きく、Ｖも大きいためです。
太陽の中で、抜け出た電子のラブの軌道を１０−１４ｍとします。ａ＝−１４です。
それで、
ニュートリノのＡ＝Ω＝１０−３９−（−１４）Ｊ＝１０−２５Ｊです。
ニュートリノのＶ＝ＡΩ＝１０−７８−２（−１４）Ｊ＝１０−７８＋２８Ｊ＝１０−５０Ｊです。
地球の電気の光子の軌道は、ａ＝−１０です。
それで、
地球の光子のＡ＝Ω＝１０−３９−（−１０）Ｊ＝１０−２９Ｊです。
地球の光子のＶ＝ＡΩ＝１０−７８−２（−１０）Ｊ＝１０−７８＋２０Ｊ＝１０−５８Ｊです。
よって、
ニュートリノのＡ＝Ωは、地球の光子のＡ＝Ωの、１０−２５Ｊ÷１０−２９Ｊ＝１０４倍です。
ニュートリノのＶは、地球の光子のＶの、１０−５０Ｊ÷１０−５８Ｊ＝１０８倍です。
ニュートリノは、太陽の中心核のＶで、１０−５０Ｊです。地上の光子のＶは、１０−５８Ｊです。
ニュートリノは、１０８倍の電圧を持つ光子であるゆえ、石や金属や鉄を通過できる。
又、ニュートリノの軌道が小さいので通過できる。
又、ニュートリノのＡとΩが大きいので通過できる。
【発明の効果】
【０００６】次の事が理解できた。
１．電子のラブと陽子のラブは、ビッグバンの以前にできた、光子の塊である。
２．電子のラブと陽子のラブは、ビッグバンの以前の超高圧超高エネルギーの光子の球体の中でできた。
３．ビッグバンの以前の超高圧超高エネルギーの光子の球体の中でできた電子のラブと陽子のラブは、絶対０度の環境に出て、環境のエネルギーに合わせるため、外側の光子のエネルギーを小さくしたので、軌道は大きくなり、拡大した。
４．電子のラブは、光子の塊なので、自分の運動エネルギーを光子にする事ができる。
５．原子において、Ａ＝Ｖ／Ωは、電気の光子の軌道の状態を示す。
Ａ＝電気の光子のエネルギー。Ω＝磁気の光子のエネルギー。Ａ＝Ω。Ｖ＝電気の光子のエネルギー×磁気の光子のエネルギー＝Ａ２＝Ω２です。
６．水素爆弾のエネルギーは、電子のラブの周囲の光子と、陽子のラブの周囲の光子であり、電子のラブと陽子のラブは解体せずそのまま残る。
７．電子のラブと陽子のラブは、ビッグバンの以前の超高圧超高エネルギーでなければ解体されない。
８．宇宙における電子のラブの数と陽子のラブの数は、ビッグバン以降変わらず存在し続けている。これからも変わらず存在し続ける。宇宙における電子のラブの数と陽子のラブの数は、いつまでも普遍です。
９．原子の中は原子核に近い殻ほど高エネルギーです。公転軌道が小さくなるからです。
Ｋ殻の電子のラブの公転軌道＜Ｌ殻の電子のラブの公転軌道＜Ｍ殻の電子のラブの公転軌道＜Ｎ殻の電子のラブの公転軌道＝
Ｋ殻の電子のラブのエネルギー＞Ｌ殻の電子のラブのエネルギー＞Ｍ殻の電子のラブのエネルギー＞Ｎ殻の電子のラブのエネルギー
であるから、
Ｋ殻の電子のラブが作る光子のエネルギー＞Ｌ殻の電子のラブが作る光子のエネルギー＞Ｍ殻の電子のラブが作る光子のエネルギー＞Ｎ殻の電子のラブが作る光子のエネルギー＝Ｋ殻の電子のラブが作る光子の波長＜Ｋ系特性Ｘ線の波長＜Ｌ系特性Ｘ線の波長＜Ｍ系特性Ｘ線の波長  です。
１０．外側の殻の電子が、内側の殻に移動する時、光子が飛び出すのは、内側の電圧が高いので、低いエネルギーの光子は飛び出す。
１１．外側の殻の電子のラブが内側の殻に移動しても、すぐもとの殻にもどるのは、電子のラブのエネルギーは、内側の殻の電子のラブのエネルギーより小さいので、高エネルギーの場には存在できず、もとの殻にすぐもどる。電子のラブのエネルギーは移動しても変わらない。電子のラブ自身が高エネルギーにならないと高エネルギーの殻には存在できない。
１２．ニュートリノは、電子のラブが陽子のラブと結合し、中性子になった時できた、電子のラブの抜け殻である電気の光子と磁気の光子です。それは、Ａ＝電気の光子のエネルギーと、Ω＝磁気の光子のエネルギーです。Ｖ＝電気の光子の軌道のエネルギー＝Ａ×Ωです。
ニュートリノができた軌道は、中性子ができた軌道であるので、中性子ができた軌道が、１０ａｍであるとすると、ニュートリノのＡとΩは、地球の光子の１０−１０−ａ倍で、Ｖはこの２乗倍です。この電流と電圧で、ニュートリノは地球の鉄や石を通り抜ける。
【図面の簡単な説明】
【０００７】
【図１】  電子のラブと陽子のラブはどのようにできたか。超高密度の光子である電子のラブと陽子のラブは、ビッグバンの以前の超高圧超高エネルギーの球体の中でできた。電子のラブは球体の外側で、陽子のラブは球体の中央でできた。絶対０度の空間に出たので、その空間のエネルギーに合わせるため、電子のラブと陽子のラブは外側の光子のエネルギーを小さくしたので、光子の軌道は大きくなった。電子のラブと陽子のラブは拡大した。
【図２】  Ｅ＝ｍｃ２について。電子のラブの公転軌道が１０ａｍの場合できる、電気の光子の質量とエネルギーについて。磁気の光子の質量とエネルギーについて。１回転の電気の光子のエネルギーは、１０−３９−ａＪです。これは、電子のラブのエネルギーの８×１０２５＋ａ分の１のエネルギーです。１秒間の電気の光子のエネルギーは、１．２７３×１０−３３−２ａＪです。これは、電子のラブのエネルギーの６．３×１０１９＋２ａ分の１のエネルギーです。１回転の磁気の光子のエネルギーは、１０−４７−ａＪです。これは、電子のラブのエネルギーの８×１０３３＋ａ分の１のエネルギーです。１０８回転の磁気の光子のエネルギーは、１０−３９−ａＪです。これは、電子のラブのエネルギーの８×１０２５＋ａ分の１のエネルギーです。１秒間の電気の光子のエネルギーは、１．２７３×１０−３３−２ａＪです。これは、電子のラブのエネルギーの６．３×１０１９＋２ａ分の１のエネルギーです。
【図３】  電子の中の電流と抵抗と電圧はどのようになっているか。電流は電気の光子が走っている状態です。抵抗は電気の光子が走る方向に、垂直に走る磁気の光子の状態です。それで、Ａ×Ω＝電気の光子のエネルギー×磁気の光子のエネルギー＝Ｖ＝電気の光子の軌道のエネルギー＝電圧です。
【図４】  原子の中の電流と抵抗と電圧はどのようになっているか。電気の光子の軌道が１０−１０ｍの場合。Ａ＝Ω＝１０−２９Ｊ  Ｖ＝１０−５８Ｊ  電気の光子の軌道が１０−１１ｍの場合。Ａ＝Ω＝１０−２８Ｊ  Ｖ＝１０−５６Ｊ  電気の光子の軌道が１０−１４ｍの場合。Ａ＝Ω＝１０−２５Ｊ  Ｖ＝１０−５０Ｊ
【図５】  原子はどのようになっているか。２０Ｃａ４０の場合。Ｋ殻の電子のラブのエネルギー＞Ｌ殻の電子のラブのエネルギー＞Ｍ殻の電子のラブのエネルギー＞Ｎ殻の電子のラブのエネルギー  であるから、Ｋ殻の電子のラブが作る光子のエネルギー＞Ｌ殻の電子のラブが作る光子のエネルギー＞Ｍ殻の電子のラブが作る光子のエネルギー＞Ｎ殻の電子のラブが作る光子のエネルギー＝Ｋ殻の電子のラブが作る光子の波長＜Ｋ系特性Ｘ線の波長＜Ｌ系特性Ｘ線の波長＜Ｍ系特性Ｘ線の波長  ＣａのＫ系特性Ｘ線は、０．３３６×１０−９ｍです。Ｌ系特性Ｘ線は、３．６×１０−９ｍです。
【図６】  どうして、外側の殻の電子が内側の殻に移動する時、光子は飛び出すのか。どうして、外側の電子のラブが内側の殻に移動する時、電子のラブはすぐ、もとの殻にもどるのか。Ｎ殻からＭ殻へ電子のラブが移動する時、Ｍ殻の電圧はＭ殻の電気の光子のエネルギーの２乗になり、高圧に成っているので、Ｎ殻の電子のラブの光子ははじき飛ばされる。そして、Ｎ殻の電子のラブのエネルギーは変わらないので、Ｍ殻の電子のラブの軌道には居る事ができず、Ｎ殻にもどる。
【図７】  ニュートリノができる理由。電子のラブの公転軌道と陽子のラブの公転軌道が近づき、電子のラブは陽子のラブに引かれ、電子のラブの軌道を抜け出す。陽子のラブと電子のラブは結合し、中性子になります。中性子は陽子のラブの軌道を回転します。それで、電子のラブの抜け殻である電気の光子の軌道と磁気の光子の軌道は放出します。これがニュートリノです。ニュートリノの軌道を１０ａｍとし、地球の軌道を１０−１０ｍとすると、ニュートリノの電圧は地球の電圧の１０−２０−２ａ倍です。
【符号の説明】
【０００８】１  ビッグバンの以前の超高圧超高エネルギーの球体
２  電子のラブができた場。
３  陽子のラブができた場
４  球体の中の電子のラブ
５  球体の中の陽子のラブ
６  電子のラブ
７  陽子のラブ
８  拡大した
９  絶対０度の空間
１０  電子のラブの公転
１１  電子のラブの自転
１２  電気の光子＝電流
１３  磁気の光子＝抵抗
１４  電気の光子の軌道＝電子のラブの軌道
１５  原子核
１６  殻の軌道
１７  殻の軌道のエネルギー（電子のラブのエネルギーであり、光子のエネルギー）
１８  はじき出された光子
１９  陽子のラブの軌道
２０  電子のラブの軌道
２１  中性子
２２  電子のラブの抜け殻である電気の光子と磁気の光子＝ニュートリノ
【図１】
2006345690.tif 000003
【図２】
2006345690.tif 000004
【図３】
2006345690.tif 000005
【図４】
2006345690.tif 000006
【図５】
2006345690.tif 000007
【図６】
2006345690.tif 000008
【図７】
2006345690.tif 000009